(57)【要約】      （修正有）【課題】容器から取り外ししなくてよい構造を備えたキャップを提供する。【解決手段】放出口を有するボタン１と、このボタンを被う蓋体２とが一体的に成型された容器用の蓋付キャップである。ボタン１は、土台部１１と、この土台部の内側に配置されたボタン本体１２とを備えている。蓋体２は、土台部１１の外周縁とヒンジ３を介して連結している。蓋体２は、天板部２１と、この天板部の外周縁の一部から下方に設けた側壁部２２とを備えている。蓋体２が閉じたときに土台部１１の表面と側壁部２２とが面一となる。天板部２１は、裏面から突き出た突出部２１ａを有する。土台部１１は、ボタン本体１２と接しない部分に平らな平端部１１ａを有する。平端部１１ａは、蓋体２が閉じたときに突出部２１ａと嵌合可能な貫通孔１１ｂを有する。【選択図】図１
0003176652.tif 000002
【実用新案登録請求の範囲】
【請求項１】
放出口を有するボタンと、このボタンを被う蓋体とが一体的に成型された容器用の蓋付キャップであって、
上記ボタンは、土台部と、この土台部の内側に配置されたボタン本体とを備え、
上記蓋体は、上記土台部の外周縁とヒンジを介して連結している
ことを特徴とする蓋付キャップ。
【請求項２】
上記蓋体は、天板部と、この天板部の外周縁の一部又は全部から下方に設けた側壁部とを備え、
上記蓋体が閉じたときに上記土台部の表面と上記側壁部とが面一となる
ことを特徴とする請求項１に記載の蓋付キャップ。
【請求項３】
上記天板部は、裏面から突き出た突出部を有し、
上記土台部は、上記ボタン本体と接しない部分に平らな平端部を有し、  
上記平端部は、上記蓋体が閉じたときに上記突出部と嵌合可能な貫通孔を有する
ことを特徴とする請求項１又は２に記載の蓋付キャップ。
【請求項４】
上記容器は、バルブを有するエアゾール缶で、
上記突出部は、棒状部材で、
上記貫通孔は、ガス抜き孔で、
上記ガス抜き孔は、上記バルブの外径より小さい寸法とした
ことを特徴とする請求項３に記載の蓋付キャップ。
【請求項５】
上記容器は、バルブを有するエアゾール缶で、
上記側壁部は、上記天板部の外周縁の全部から下方に設けられ、
上記側壁部の下端は、上記容器の上端縁と嵌合可能な形状で、
上記突出部は、筒状部材で、
上記天板部は、上記突出部の内側に通じるガス抜き孔を有し、
上記ガス抜き孔は、上記バルブの外径より小さい寸法とし、
上記蓋体は、上記側壁部の下端と上記容器の上端縁とが嵌合したときに上記バルブを押圧する形状とした
ことを特徴とする請求項１又は２に記載の蓋付キャップ。
【請求項６】
上記容器は、バルブを有するエアゾール缶で、
上記側壁部は、上記天板部の外周縁の全部から下方に設けられ、
上記突出部は、ガス抜き孔がある底面を有する筒状部材で、
上記ガス抜き孔は、上記バルブの外径より小さい寸法とした
ことを特徴とする請求項１又は２に記載の蓋付キャップ。
【請求項７】
上記側壁部は、上記ボタンの放出口に面する部分に上記天板部の外周縁と回動可能に連結した回動部を有し、
上記突出部は、上記蓋体の内側に回動した上記回動部の裏面が接する位置に設けられ、
上記回動部は、内側に回動した状態で上記蓋体が閉じたときに上記ボタン本体を押圧する形状とした
ことを特徴とする請求項１乃至６のいずれか１つに記載の蓋付キャップ。
【考案の詳細な説明】
【技術分野】
【０００１】
本考案は、ボタンが押されて内容物が放出する容器に装着する蓋付キャップに関し、さらに詳しくはヒンジを介して連結している蓋体がこのボタンを被う蓋付キャップに関するものである。
【背景技術】
【０００２】
従来から、例えばエアゾールタイプのスプレーにおいて、内容物を放出するときに押されるボタンを保護するキャップは重要な部品である。そこでボタンとこのボタンを被うキャップとは別々の部品としてそれぞれ容器に取り付けられていた（例えば特許文献１参照。）
【先行技術文献】
【特許文献】
【０００３】
【特許文献１】特許４１３６１５４号
【考案の概要】
【考案が解決しようとする課題】
【０００４】
しかしながら上述した先行技術文献の発想では、利用者はスプレーを使用する度にキャップを外さなければならず、このキャップを紛失したり再び付けるのを忘れてしまったりすることがある。さらにキャップをしなければ、ボタンの放出口に埃などが付着して汚れるため、内容物が出難くなってしまう。したがって容器から取り外ししなくてよい構造を備えたキャップを装着すべきである。
【０００５】
利用者の利便性を考慮すると、キャップはシンプルな構造にすべきである。すなわち頻繁にスプレーを使う利用者にとって、開け閉めし易いキャップであることが重要である。
【０００６】
さらにボタンとキャップとが別々だと、それぞれ異なる工程で製造しなければならないばかりでなく、それぞれ別々に品質検査したり組立したりしなければならない。したがってボタンとキャップとを一体的な構造にすべきである。
【０００７】
またエアゾールタイプのスプレーは、使用終了時に容器内に残留したガスを抜かなければならない。したがってガス抜き作業をし易くすべきである。
【０００８】
そこで本考案の第１の目的は、使用時にキャップの取り外しが不要で、かつ蓋の開け閉めが容易な蓋付キャップを提供することになる。また本考案の第２の目的は、同じ製造工程でボタンと蓋とが一体的に製造される蓋付キャップを提供することにある。また本考案の第３の目的は、ガス抜き作業に活用できる蓋付キャップを提供することにある。
【課題を解決するための手段】
【０００９】
上記課題を解決するために、本考案による蓋付キャップは、ボタン本体を支持する土台部にヒンジを介して蓋体を設けたことを特徴としている。
【００１０】
すなわち本考案による蓋付キャップは、放出口を有するボタンと、このボタンを被う蓋体とが一体的に成型された容器用の蓋付キャップであって、上記ボタンは、土台部と、この土台部の内側に配置されたボタン本体とを備え、上記蓋体は、上記土台部の外周縁とヒンジを介して連結している。
【００１１】
上記蓋体は、天板部と、この天板部の外周縁の一部又は全部から下方に設けた側壁部とを備え、上記蓋体が閉じたときに上記土台部の表面と上記側壁部とが面一となることが望ましい。
【００１２】
上記天板部は、裏面から突き出た突出部を有し、上記土台部は、上記ボタン本体と接しない部分に平らな平端部を有し、  上記平端部は、上記蓋体が閉じたときに上記突出部と嵌合可能な貫通孔を有することが望ましい。
【００１３】
上記容器は、バルブを有するエアゾール缶で、上記突出部は、棒状部材で、上記貫通孔は、ガス抜き孔で、上記ガス抜き孔は、上記バルブの外径より小さい寸法としたことが望ましい。
【００１４】
上記容器は、バルブを有するエアゾール缶で、上記側壁部は、上記天板部の外周縁の全部から下方に設けられ、上記側壁部の下端は、上記容器の上端縁と嵌合可能な形状で、上記突出部は、筒状部材で、上記天板部は、上記突出部の内側に通じるガス抜き孔を有し、上記ガス抜き孔は、上記バルブの外径より小さい寸法とし、上記蓋体は、上記側壁部の下端と上記容器の上端縁とが嵌合したときに上記バルブを押圧する形状としたことが望ましい。
【００１５】
上記容器は、バルブを有するエアゾール缶で、上記側壁部は、上記天板部の外周縁の全部から下方に設けられ、上記突出部は、ガス抜き孔がある底面を有する筒状部材で、上記ガス抜き孔は、上記バルブの外径より小さい寸法としたことが望ましい。
【００１６】
上記側壁部は、上記ボタンの放出口に面する部分に上記天板部の外周縁と回動可能に連結した回動部を有し、上記突出部は、上記蓋体の内側に回動した上記回動部の裏面が接する位置に設けられ、上記回動部は、内側に回動した状態で上記蓋体が閉じたときに上記ボタン本体を押圧する形状としたことが望ましい。
【００１７】
ここで「放出口」とは、例えばミスト状、液状又はムース状の内容物を放出するものが該当する。「土台部」の形状は、例えば円筒形のみならず、ボタンを左右側から挟む凹形状も該当する。「ボタン本体」の形状は、例えば円柱形のみならず、楕円形や矩形も該当する。「ヒンジ部」は、蓋体の回動をコントロールするものを意味し、形状や寸法に限定はない。
【００１８】
「天板部」の形状は、例えば円形のみならず、楕円形や矩形も該当する。「側壁部」は、蓋体を閉じた状態において土台部の表面と面一になるものを意味し、形状や寸法に限定はない。「天板部の外周縁の一部から下方に設けた側壁部」は、土台部の形状に一致する位置に設けられ、単数でも複数でもよい。「天板部の外周縁の一部から下方に設けた側壁部」の形状は、例えば台形、長方形及び正方形に限らず、辺や面が湾曲した形状も該当する。
【００１９】
「突出部」とは、ガス抜き孔に嵌合して蓋体を閉じた状態に保持するものばかりでなく、ガス抜き時に容器のバルブがガス抜き孔に接するよう位置決めするものを意味する。「突出部」は、例えば棒状部材ばかりでなく、筒状部材や板状部材も該当する。「筒状部材」の場合、底面がないものや底面があってこの底面に孔があるものが含まれる。「筒状部材」の形状は、例えば円筒状のみならず、角状の筒も該当する。「ガス抜き孔」とは、容器内のガスを外部に放出するものばかりでなく、突出部と嵌合するものを意味する。ガス抜き孔が「バルブの外径より小さい寸法」とは、バルブがガス抜き孔を挿通しないことを意味する。
【００２０】
側壁部の下端が「容器の上端縁と嵌合可能な形状」とは、この側壁部の下端を容器の上端縁に嵌め込んで固定可能なものを意味する。
【考案の効果】
【００２１】
本考案による蓋付キャップは、蓋体が土台部の外周縁とヒンジを介して連結していることにより、使用時にキャップの取り外しが不要で、かつ蓋体の開け閉めが容易に行える。したがって利用者はキャップを紛失したり再び付けるのを忘れてしまったりすることがないため、常にボタンを清潔な状態に保つ共に、携帯時に誤ってボタンが押され内容物が放出する恐れもない。
【００２２】
また蓋体が閉じたときに土台部の表面と側壁部とが面一となることにより、蓋体の閉状態を安全に維持することができる。
【００２３】
また蓋体が閉じたときに土台部の平端部が有する貫通孔と突出部とが嵌合することにより、蓋体の開け閉めが容易に行える。さらに容器がバルブを有するエアゾール缶で、上記貫通孔をガス抜き孔とし、このガス抜き孔がバルブの外径より小さい寸法であることにより、このガス抜き孔に当ててバルブを押圧すれば残留ガスを放出することができる。
【００２４】
また容器がバルブを有するエアゾール缶で、側壁部の下端が容器の上端縁と嵌合可能な形状で、天板部が突出部の内側に通じるガス抜き孔を有し、このガス抜き孔がバルブの外径より小さい寸法とし、蓋体が側壁部の下端と容器の上端縁とが嵌合したときにバルブを押圧する形状としたことにより、蓋体を容器に嵌合させればこのガス抜き孔にバルブが当たって押圧され残留ガスを放出することができる。
【００２５】
また容器がバルブを有するエアゾール缶で、突出部はガス抜き孔がある底面を有する筒状部材で、このガス抜き孔がバルブの外径より小さい寸法としたことにより、このガス抜き孔に当ててバルブを押圧すれば残留ガスを放出することができる。
【００２６】
また突出部は蓋体の内側に回動した回動部の裏面が接する位置に設けられ、回動部は内側に回動した状態で蓋体が閉じたときにボタン本体を押圧する形状としたことにより、蓋体を再び閉じるだけでガス抜きを容易に行うことができる。
【図面の簡単な説明】
【００２７】
【図１】蓋付キャップの斜視図及び断面図である。
【図２】蓋付キャップを用いてガス抜きが行われている状態図である。
【図３】他の蓋付キャップの斜視図及び断面図である。
【図４】他の蓋付キャップを用いてガス抜きが行われている状態図である。
【図５】他の蓋付キャップにおける各種断面図である。
【図６】他の蓋付キャップを用いてガス抜きが行われている状態図である。
【図７】他の蓋付キャップの斜視図及び断面図である。
【図８】他の蓋付キャップを用いてガス抜きが行われている状態図である。
【考案を実施するための形態】
【００２８】
以下図１〜図８を参照しつつ、本考案による蓋付キャップについて説明する。初めに、図１及び図２を用いてこの蓋付キャップの基本構造及びガス抜き時の動作について説明する。図１（ａ）は蓋付キャップの蓋体が閉じた状態の斜視図、図１（ｂ）はこの蓋体が開いた状態の斜視図、図１（ｃ）はこの図１（ａ）のＷ−Ｗ断面を示す断面図についてそれぞれ示す。
【００２９】
さて図１に示すように、この蓋付キャップは、放出口Ｎを有する円筒形のボタン１と、このボタンを被う円形の蓋体２とが一体的に成型されたバルブを有するエアゾール缶用の蓋付キャップである。ボタン１は、前後方向に凹んだ凹状の土台部１１と、この土台部の内側に配置された矩形のボタン本体１２とを備える。蓋体２は、土台部１１の外周縁とヒンジ３を介して連結している。
【００３０】
蓋体２は、薄い円板状の天板部２１と、この天板部の外周縁の一部から下方に部分的に設けた台形状の側壁部２２，２２とを備えている。蓋体２が閉じたときに土台部１１の表面と側壁部２２とが面一となる。
【００３１】
天板部２１は、裏面から突き出た棒状の突出部２１ａを有する。土台部１２は、ボタン本体１２と接しない部分に平らな平端部１１aを有する。平端部１１aは、蓋体２が閉じたときに突出部２１aと嵌合可能なガス抜き孔１１ｂを有する。ガス抜き孔１１ｂは、バルブの外径より小さい寸法とした。
【００３２】
なおボタン本体１２は、放出口Ｎと同方向の下端に設けた板部材を介して土台部１１に連結している。ボタン本体１２が押圧されると、上記板部材が撓んでこのボタン本体が傾き、バルブが押圧される。側壁部２２，２２は、蓋体２が閉じた状態においてボタン本体１２の前後方向に位置し、土台部１１の側壁と面一になる。平端部１１ａ，１１ａは、蓋体２が閉じた状態において天板部２１の裏面に接する。ガス抜き孔１１ｂは、平端部１１ａに設けた円形の凹部の底面に設けた貫通孔である。蓋体２が閉じたとき、突出部２１ａの先端がガス抜き孔１１ｂに嵌合して閉鎖状態を保持する。
【００３３】
次に図１に記載した蓋付キャップを用いて容器Ｓ内に残留したガスを抜く動作について図２を用いて説明する。図２はガス抜き孔１１ｂからガスを抜いている状態図を示す。
【００３４】
図２に示すように、容器Ｓ内に残留したガスを抜くとき、この蓋付キャップを容器Ｓから取り外す。そして蓋体２が開いたまま逆さにし、バルブＢの外径より小さい寸法のガス抜き孔１１ｂにこのバルブの先端を当てて押圧する。これによりガス抜き孔１１ｂを介してガスを外部に放出することができる。
【００３５】
したがって本実施形態における蓋付キャップは、蓋体２が土台部１１の外周縁とヒンジ３を介して連結していることにより、使用時にキャップの取り外しが不要で、かつこの蓋体の開け閉めが容易に行える。したがって利用者はキャップを紛失したり再び付けるのを忘れてしまったりすることがないため、常にボタン１を清潔な状態に保つと共に、携帯時に誤ってこのボタンのボタン本体１２が押され内容物が放出する恐れもない。
【００３６】
また蓋体２が閉じたときに土台部１１の表面と側壁部２２とが面一となることにより、この蓋体の閉状態を安全に維持することができる。
【００３７】
また蓋体２が閉じたときに土台部１１の平端部１１ａが有するガス抜き穴１１ｂと突出部２１ａとが嵌合することにより、この蓋体の開け閉めが容易に行える。さらにガス抜き孔１１ｂがバルブの外径より小さい寸法であることにより、このガス抜き孔に当ててバルブＢを押圧すれば残留ガスを放出することができる。
【００３８】
図３〜図８は、他の蓋付キャップについて説明するものである。
【００３９】
なお図１及び図２で示した部品または部位と同等のものは、参照を容易にする等のため、図３において一律１００を加えた番号にしている（以下図４〜図８も同様に、一律２００〜３００を加えた番号にしている。）。図１を含む各図を用いて説明したことと同じ内容についての説明は省略する。
【００４０】
図３（ａ）は他の蓋付キャップの蓋体が閉じた状態の斜視図、図３（ｂ）はこの蓋体が開いた状態の斜視図、図３（ｃ）はこの図３（ａ）のＸ−Ｘ断面を示す断面図についてそれぞれ示す。
【００４１】
図３に示すように、ボタン１０１は、円筒形の土台部１１１と、この土台部の内側に配置された下方の幅が広い円柱形のボタン本体１１２とを備える。側壁部１２２は、天板部１２１の外周縁の全部から下方に設けられている。側壁部１２２の下端は、容器の上端縁と嵌合可能な形状である。突出部１２１ａは、円筒状の部材である。天板部１２１は、突出部１２１ａの内側に通じるガス抜き孔１２１ｂを有する。ガス抜き孔１２１ｂは、バルブの外径より小さい寸法とした。蓋体１０２は、側壁部１２２の下端と容器の上端縁とが嵌合したときにバルブを押圧する形状とした。
【００４２】
なおボタン１０１の土台部１１１の上端縁にフックＦが設けられている。蓋体１０２は、フックＦに引っ掛かることで閉じた状態を保持する。蓋体１０２を閉じた状態において、突出部１２１ａがボタン本体１１０の上端面に接していてもいなくてもよい。突出部１２１ａは、天板１２１の中央付近に設けてある。
【００４３】
次に図３に記載した蓋付キャップを用いて容器Ｓ内に残留したガスを抜く動作について図４を用いて説明する。図４（ａ）はガス抜き孔１２１ｂからガスを抜いている状態図、図４（ｂ）はこの図４（ａ）のＸ１−Ｘ１断面の断面図を示す。
【００４４】
図４に示すよう、容器Ｓ内に残留したガスを抜くとき、この蓋付キャップを容器Ｓから取り外す。そして蓋体１０２の側壁部１２２の下端を容器Ｓの上端縁に嵌合すると、バルブＢの外径より小さい寸法のガス抜き孔１２１ｂにこのバルブの先端が当たって押圧される。これによりガス抜き孔１２１ｂを介してガスを外部に放出することができる。
【００４５】
したがって本実施形態における蓋付キャップは、側壁部１２２の下端が容器Ｓの上端縁と嵌合可能な形状で、天板部１２１が突出部１２１ａの内側に通じるガス抜き孔１２１ｂを有し、このガス抜き孔がバルブの外径より小さい寸法とし、蓋体１０２がこの側壁部の下端とこの容器の上端縁とが嵌合したときにバルブＢを押圧する形状としたことにより、この蓋体をこの容器に嵌合させればこのガス抜き孔にこのバルブが当たって押圧され残留ガスを放出することができる。
【００４６】
図５（ａ）は他の蓋付キャップの蓋体が閉じた状態の斜視図、図５（ｂ）はこの蓋体が開いた状態の斜視図、図５（ｃ）はこの図５（ａ）のＹ−Ｙ断面を示す断面図についてそれぞれ示す。
【００４７】
図５に示すように、ボタン２０１は、円筒形の土台部２１１と、この土台部の内側に配置された下方の幅が広い円柱形のボタン本体２１２とを備える。側壁部２２２は、天板部２２１の外周縁の全部から下方に設けられている。突出部２２１ａは、ガス抜き孔２２１ｂがある底面を有する筒状部材である。ガス抜き孔２２１ｂは、バルブの外径より小さい寸法とした。
【００４８】
次に図５に記載した蓋付キャップを用いて容器Ｓ内に残留したガスを抜く動作について図６を用いて説明する。図６はガス抜き孔からガスを抜いている状態図を示す。
【００４９】
図６に示すように、容器Ｓ内に残留したガスを抜くとき、この蓋付キャップを容器Ｓから取り外す。そして蓋体２０２を開いたまま逆さにし、バルブＢの外径より小さい寸法のガス抜き孔２２１ｂにこのバルブの先端を当てて押圧する。これによりガス抜き孔２２１ｂを介してガスを外部に放出することができる。
【００５０】
したがって本実施形態における蓋付キャップは、突出部２２１ａはガス抜き孔２２１ｂがある底面を有する筒状部材で、このガス抜き孔がバルブＢの外径より小さい寸法としたことにより、このガス抜き孔に当ててバルブを押圧すれば残留ガスを放出することができる。
【００５１】
図７（ａ）は他の蓋付キャップの蓋体が閉じた状態の斜視図、図７（ｂ）はこの蓋体が開いた状態の斜視図、図７（ｃ）はこの図７（ａ）のＺ−Ｚ断面を示す断面図、図７（ｄ）はこの図７（ｃ）においてに回動部を内側に回動した状態の断面図についてそれぞれ示す。
【００５２】
図７に示すように、側壁部３２２は、ボタン３０１の放出口Ｎに面する部分に天板部３２１の外周縁と回動可能に連結した回動部３２２ａを有する。突出部３２１ａは、板状部材で、蓋体３０２の内側に回動した回動部３２２ａの裏面が接する位置に設けられている。回動部３２２ａは、この回動部が内側に回動した状態で蓋体３０２が閉じたときにボタン本体３１２を押圧する形状とした。
【００５３】
次に図７に記載した蓋付キャップを用いて容器Ｓ内に残留したガスを抜く動作について図８を用いて説明する。図８は回動部を蓋体の内側に回動してガスを抜いている状態図を示す。
【００５４】
図８に示すように、容器Ｓ内に残留したガスを抜くとき、蓋体２を開いた状態で回動部３２２ａを蓋体３０２の内側に回動する。そして回動部３２２ａの裏面が突出部３２１ａに接している状態で再び蓋体２を閉じる。すると突出部３２１ａがストッパーとなって回動部３２２ａの回動を制限し、この回動部がボタン本体３１２を押圧する。これにより回動部３２２ａが回動して開いた開口部分を介してガスを外部に放出することができる。
【００５５】
したがって本実施形態における蓋付キャップは、突出部３２１ａは蓋体３０２の内側に回動した回動部３２２ａの裏面が接する位置に設けられ、この回動部は内側に回動した状態でこの蓋体が閉じたときにボタン本体３１２を押圧する形状としたことにより、この蓋体を再び閉じるだけでガス抜きを容易に行うことができる。
【００５６】
なお本実施形態における各種蓋付キャップの形状や構造は一例に過ぎず、例えばボタン本体を支持する土台部にヒンジを介して蓋体を設けたものであれば、この各種蓋付キャップに限定されるものではなく、本発明の趣旨を逸脱しない範囲で適時変更が可能である。また上記各種蓋付キャップは、それぞれの形状や構造を組み合わせて構成してもよい。
【００５７】
上記各種蓋付キャップが装着される容器は、スプレータイプのエアゾール缶やポンプ式のディスペンサーなどが該当する。エアゾール缶は、例えば容器本体と、この容器本体の上部先端に突き出たバルブ（ステム）と、このバルブが挿入され内容物を放出する際に押されるボタン（アクチュエータ）とを備え、その他の部材や部品は従来技術に沿うものであるため説明を省略する。
【産業上の利用可能性】
【００５８】
本考案における蓋体付キャップは、内容物を放出する容器を製造販売する業界に限らず、ボタンが押されスイッチが入ると内容物が放出する玩具やスイッチが入ると発光する電灯具などに関する産業に広く利用可能である。
【符号の説明】
【００５９】
１、１０１〜３０１      ボタン
１１、１１１〜３１１    土台部
１２、１１２〜３１２    ボタン本体
２、１０２〜３０２      蓋体
２１、１２１〜３２１    天板
２２、１２２〜３２２    側壁部
３、１０３〜３０３      ヒンジ
Ｂ                      バルブ
Ｆ                      フック
Ｎ                      放出口
Ｓ                      容器
【図１】
0003176652.tif 000003
【図２】
0003176652.tif 000004
【図３】
0003176652.tif 000005
【図４】
0003176652.tif 000006
【図５】
0003176652.tif 000007
【図６】
0003176652.tif 000008
【図７】
0003176652.tif 000009
【図８】
0003176652.tif 000010